(57)【要約】【課題】祭り等の催事など、手で物を握り、体を動かすといった使用環境下において、装着中の暑さ等の不快さを感じさせることのない、装着感に優れた手袋を提供すること。【解決手段】指部１１、拳部１２、及び拳部１２から手首近くまでの甲部１３からなる手甲部と、指部３１、及び指部付け根から手首近くまでの掌部３２からなる手掌部３０とで構成された手袋１であって、掌部３２の手首側縁部３３と、手首側縁部３３よりも指側に凹んだ形状に形成された甲部１３の手首側縁部１５とにより袋口１４が形成され、袋口１４を形成する甲部１３の手首側縁部１５に、甲部１３の中程より小指側寄りで指方向に切れ目１５ａが形成され、切れ目１５ａの小指側縁部に止帯片１７が縫着され、止帯片１７の裏側面と、これと対向する甲部１３の面とに面ファスナー１８が設けられている。【選択図】図１
0003126867.tif 000002
【実用新案登録請求の範囲】
【請求項１】
指部、該指部付け根部分の拳部、及び該拳部から手首近くまでの甲部からなる手甲部と、指部、及び該指部付け根から手首近くまでの掌部からなる手掌部とで構成されている手袋であって、
前記掌部の手首側縁部と、該掌部の手首側縁部よりも指側に凹んだ形状に形成された前記甲部の手首側縁部とにより手の抜き差しを行う袋口が形成され、
該袋口を形成する前記甲部の手首側縁部に、前記甲部の中程より小指側寄りで指方向に切り込まれた切れ目が形成され、
該切れ目の小指側縁部に幅広の止帯片が縫着され、
該止帯片の裏側面と、これと対向する前記甲部の面とに、前記止帯片と前記甲部とを係止させるための係止部材が設けられていることを特徴とする手袋。
【請求項２】
前記袋口の前記凹んだ形状が、前記切れ目の親指側縁部の途中から前記掌部の手首側縁部に向けて傾斜させた傾斜部により形成されていることを特徴とする請求項１記載の手袋。
【請求項３】
前記甲部の内側面横方向に複数本の伸縮部材が収縮状に縫着されていることを特徴とする請求項１又は請求項２記載の手袋。
【請求項４】
前記手甲部の親指を除く指部とその拳部とに、該親指を除く指部とその拳部とが連結された櫛歯形状に型取りされた伸縮性部材が用いられ、
該伸縮性部材の上面に、該伸縮性部材よりも一回り小さな櫛歯形状に型取りされた補強部材が縫着されていることを特徴とする請求項１〜３のいずれかの項に記載の手袋。
【請求項５】
前記手掌部側の中指から小指の第２関節付近から該中指から小指の指間球部分までを覆うように櫛歯形状に型取りされて縫着された第１の補強用部材と、
前記手掌部側の人差し指の第２関節付近から親指の第１関節付近までを覆うように帯状に型取りされて縫着された第２の補強用部材とを備えていることを特徴とする請求項１〜４のいずれかの項に記載の手袋。
【請求項６】
前記甲部と、親指の甲面側の付け根部分とが、伸縮性かつ通気性を有する部材で構成されていることを特徴とする請求項１〜５のいずれかの項に記載の手袋。
【請求項７】
前記指部の先端部分が切除されていることを特徴とする請求項１〜６のいずれかの項に記載の手袋。
【考案の詳細な説明】
【技術分野】
【０００１】
本考案は手袋に関し、より詳細には、祭り等の催事、スポーツ、各種作業など、体を動かす状況下での使用に適した手袋に関する。
【背景技術】
【０００２】
従来よりスポーツ用、例えば、野球、ゴルフ、フィッシング等で使用される手袋としては、指部、甲部、及びリスト部を含む手甲部と、指部、掌部、及びリスト部を含む手掌部とを結合して構成されたものが知られている（例えば、下記の特許文献１参照）。
【０００３】
特許文献１に記載されているような従来の手袋は、リスト部で手首を締め付ける構成となっているため、手首を折り返す等の動作を行う度に、手首とリスト部とが摩擦して、着用者に不快さを与えるという問題があった。また、汗ばむ季節に着用する場合、リスト部で手首部分が覆われていると、手首部分からの放熱が妨げられ、暑さを強く感じ、着用が不快になるという問題があった。
【特許文献１】実開昭５９−３３７１６号公報
【考案の開示】
【課題を解決するための手段及びその効果】
【０００４】
本考案は上記課題に鑑みなされたものであって、祭り等の催事、スポーツ、各種作業など、手で物を握り、体を動かすといった使用環境下において、装着中の暑さ等の不快さを感じさせることなく、装着感に優れ、また、物を握った際の摩擦等から手を適切に保護することができる手袋を提供することを目的としている。
【０００５】
すなわち本考案に係る手袋（１）は、指部、該指部付け根部分の拳部、及び該拳部から手首近くまでの甲部からなる手甲部と、指部、及び該指部付け根から手首近くまでの掌部からなる手掌部とで構成されている手袋であって、前記掌部の手首側縁部と、該掌部の手首側縁部よりも指側に凹んだ形状に形成された前記甲部の手首側縁部とにより手の抜き差しを行う袋口が形成され、該袋口を形成する前記甲部の手首側縁部に、前記甲部の中程より小指側寄りで指方向に切り込まれた切れ目が形成され、該切れ目の小指側縁部に幅広の止帯片が縫着され、該止帯片の裏側面と、これと対向する前記甲部の面とに、前記止帯片と前記甲部とを係止させるための係止部材が設けられていることを特徴としている。
【０００６】
上記手袋（１）によれば、前記掌部の手首側縁部と、該掌部の手首側縁部よりも指側に凹んだ形状に形成された前記甲部の手首側縁部とにより手の抜き差しを行う袋口が形成されているので、装着時に手首をむき出し状態とすることができ、装着中の暑さ等の不快さを大幅に低減させることができ、装着感に優れた手袋とすることができる。
【０００７】
また、袋口を形成する前記甲部の手首側縁部に、前記甲部の中程より小指側寄りで指方向に切り込まれた切れ目が形成されているので、前記袋口を大きく広げることができ、手の抜き差しを容易に行うことができる。
【０００８】
また、前記切れ目の小指側縁部に幅広の止帯片が縫着され、該止帯片の裏側面と、これと対向する甲部の面に、前記止帯片と前記甲部とを係止させる係止部材が設けられているので、前記止帯片を親指側に引っ張り、前記止帯片の裏側面に設けられた係止部材を、前記甲部に設けられた係止部材に係止させることにより、前記袋口と手首の付け根部分との間に隙間が生じないようにフィットさせることができ、装着感を高めることができる。
【０００９】
また本考案に係る手袋（２）は、上記手袋（１）において、前記袋口の前記凹んだ形状が、前記切れ目の親指側縁部の途中から前記掌部の手首側縁部に向けて傾斜させた傾斜部により形成されていることを特徴としている。
【００１０】
上記手袋（２）によれば、前記傾斜部により前記甲部の縦幅が短くなっているので、装着時に確実に手首をむき出し状態にすることができ、装着時に手首を折り返す等の動作を行った場合でも、前記手首側縁部が手首上で邪魔になるようなことがなく、手首に不快感を与えることなく、装着時の快適性をさらに高めることができる。
【００１１】
また本考案に係る手袋（３）は、上記手袋（１）又は（２）において、前記甲部の内側面横方向に複数本の伸縮部材が収縮状に縫着されていることを特徴としている。
上記手袋（３）によれば、前記甲部の内側面横方向に複数本の伸縮部材が収縮状に縫着されているので、前記伸縮部材が、装着者の手の大きさに応じて横方向に伸張し、前記手甲部のフィット感をさらに高めることができる。
【００１２】
また本考案に係る手袋（４）は、上記手袋（１）〜（３）のいずれかにおいて、前記手甲部の親指を除く指部とその拳部とに、該親指を除く指部とその拳部とが連結された櫛歯形状に型取りされた伸縮性部材が用いられ、該伸縮性部材の上面に、該伸縮性部材よりも一回り小さな櫛歯形状に型取りされた補強部材が縫着されていることを特徴としている。
【００１３】
上記手袋（４）によれば、前記手甲部の親指を除く指部とその拳部とに、該親指を除く指部とその拳部とが連結された櫛歯形状に型取りされた伸縮性部材が用いられているので、手を握り締めたり、手を広げたりする手の動きをスムーズに行うことができるとともに、手を広げた状態でも、手を握り締めた状態でも、前記指部に適度なフィット感を付与することができる。また、前記伸縮性部材の上面に、該伸縮性部材よりも一回り小さな櫛歯形状に型取りされた補強部材が縫着されているので、前記伸縮性部材によるフィット感を損なうことなく、前記手甲部側の指部及び拳部の補強を行うことができ、手袋の耐久性を向上させることができる。
【００１４】
また本考案に係る手袋（５）は、上記手袋（１）〜（４）において、前記手掌部側の中指から小指の第２関節付近から該中指から小指の指間球部分までを覆うように櫛歯形状に型取りされて縫着された第１の補強用部材と、前記手掌部側の人差し指の第２関節付近から親指の第１関節付近までを覆うように帯状に型取りされて縫着された第２の補強用部材とを備えていることを特徴としている。
【００１５】
上記手袋（５）によれば、前記第１の補強用部材により前記手掌部側の中指から小指の第２関節付近から該中指から小指の指間球部分までを覆う部分が補強されると共に、前記第２の補強用部材により前記手掌部側の人差し指の第２関節付近から親指の第１関節部分までの部分が補強されるので、綱等を握り締めて引っ張るといったハードな使用に十分耐え得る耐久性を付与することができるとともに、手の平を保護する効果を高めることができる。
【００１６】
また本考案に係る手袋（６）は、上記手袋（１）〜（５）のいずれかにおいて、前記甲部と、親指の甲面側の付け根部分とが、伸縮性かつ通気性を有する部材で構成されていることを特徴としている。
【００１７】
上記手袋（６）によれば、前記甲部と、親指の甲面側の付け根部分とが、伸縮性かつ通気性を有する部材で構成されているので、装着時における前記甲部や親指のフィット感を高めることができるとともに、発汗等によるムレを防止することができ、装着時の快適性を高めることができる。
【００１８】
また本考案に係る手袋（７）は、上記手袋（１）〜（６）のいずれかにおいて、前記指部の先端部分が切除されていることを特徴としている。
上記手袋（７）によれば、前記指部の先端部分が切除されているので、例えば、第１関節付近まで切除しておけば、手袋を装着したまま、指先を使う作業を行うことができ、作業性を高めることでき、使い勝手の良い手袋とすることができる。
【考案を実施するための最良の形態】
【００１９】
以下、本考案に係る手袋の実施の形態を図面に基づいて説明する。図１は、実施の形態に係る手袋の手甲部側を模式的に示した平面図であり、止帯片を甲部に係止させる前の状態を示しており、図２は、止帯片を甲部に係止させた状態を示している。また、図３は、実施の形態に係る手袋の手掌部側を模式的に示した平面図である。なお、図１〜図３には、左手用の手袋を示しているが、右手用の手袋も同様な構成（左右対称な構成）となっている。
【００２０】
手袋１は、手甲部１０と手掌部３０との端縁が結合（縫い合わ）されて構成されており、手甲部１０は、図１、図２に示すように指部１１、指部１１付け根部分の拳部１２、及び拳部１２から手首Ａ近くまでの甲部１３から構成されており、手掌部３０は、図３に示すように指部３１、及び指部３１付け根から手首Ａ近くまでの掌部３２から構成されている。
【００２１】
手袋１の手の抜き差しを行う袋口１４は、掌部３２の手首側縁部３３と、手首側縁部３３よりも指側に凹んだ形状に形成された甲部１３の手首側縁部１５とにより構成され、装着時に手首Ａがむき出しになるように形成されている。
【００２２】
さらに袋口１４の甲部１３側には、甲部１３の中程より小指側寄りで指方向に切り込まれた切れ目１５ａと、切れ目１５ａの親指側縁部の途中から掌部３２の手首側縁部３３に向けて傾斜させた傾斜部１５ｂとが形成されており、袋口１４の縁は、全周にわたり補強片１６で縁どりされている。
【００２３】
また、切れ目１５ａの小指側縁部には、切れ目１５ａの上端から下端近傍にわたる幅広の止帯片１７が縫着されており、止帯片１７の裏側面と、これと対向する甲部１３の面とには、止帯片１７と甲部１３とを着脱自在に係止させるための面ファスナー１８（止帯片１７の裏側面にループテープ１８ａ、甲部１３面にフックテープ１８ｂ）が縫着されている。また、甲部１３のフックテープ１８ｂ上の内側面とフックテープ１８ｂ横の内側面とには、それぞれ横方向にゴム紐１９ａ、１９ｂが収縮状に縫着されている。
【００２４】
なお、甲部１３の基材には、縦横自在に伸縮するとともに通気性を有するニット素材を用いるのが好ましく、例えば、吸汗速乾性、吸放湿性、ＵＶケア性（ＵＶ遮蔽率９０％以上）を有し、装着時にベタツキ感が無く接触冷感性を合わせ持つ素材（モスクール）を使用することができる。また、親指の甲面側の付け根部分（第２関節付近）１１ａも、甲部１３の基材と同じ、伸縮性かつ通気性を有する部材で構成されている。また、止帯片１７の表側面の基材には、合成皮革に凹凸が形成がされたエンボス合成皮革が使用されており、止帯片１７の縁は、袋口１４と同様に補強片１７ａで縁どりされている。また、幅広の止帯片１７の表面側には、文字や絵などの刺繍を施して、意匠性を高めることもできる。
【００２５】
また、手甲部１０側の親指を除く指部１１とその拳部１２とには、親指を除く指部１１とその拳部１２とが連結された櫛歯形状に型取りされた伸縮性部材（例えば、縦横自在に伸縮するニット素材からなる生地）２０が使用されており、さらに伸縮性部材２０の上面には、伸縮性部材２０よりも一回り小さな櫛歯形状に型取りされた補強部材（例えば、合成皮革に凹凸が形成がされたエンボス合成皮革）２１が縫着されている。
【００２６】
一方、手掌部３０側の基材には、合成皮革に凹凸が形成されたエンボス合成皮革が使用されている。エンボス合成皮革は、全天候型のため雨、汗に強く、０．５〜０．５５ｍｍ程度の厚みのものを使用することで、装着時のフィット感が高められ、なおかつ十分な強度を持たせることができ、表面の凹凸により、物を握り締めたときの滑り止め効果が高められている。
【００２７】
さらに手掌部３０側には、手掌部３０側の中指から小指の第２関節付近から掌部３２の指間球部分までを覆うように櫛歯形状に型取りされた第１の補強用部材３４と、手掌部３０側の人差し指の第２関節付近から親指の第１関節付近までを覆うように帯状に型取りされた第２の補強用部材３５とが縫着されている。これら第１の補強用部材３４、及び第２の補強用部材３５には、例えば、オートバイ用や作業用のグローブに使用されている、滑りにくく高強度の人工皮革や、上記したエンボス合成皮革などが採用され得る。
また、親指から小指の各先端部分が切除された構成となっており、親指から小指の各指先（第１関節付近まで）が露出できるようになっている。
【００２８】
上記実施の形態に係る手袋１によれば、掌部３２の手首側縁部３３と、掌部３２の手首側縁部３３よりも指側に凹んだ形状に形成された甲部１３の手首側縁部１５とにより袋口１４が形成されているので、装着時に手首をむき出し状態とすることができ、装着中の暑さ等の不快さを大幅に低減させることができ、装着感に優れた手袋とすることができる。
【００２９】
また、袋口１４を形成する甲部１３の手首側縁部１５に、甲部１３の中程より小指側寄りで指方向に切り込まれた切れ目１５ａと、切れ目１５ａの親指側縁部の途中から掌部３２の手首側縁部３３に向けて傾斜させた傾斜部１５ｂとが形成されているので、袋口１４を大きく広げることができ、手の抜き差しを容易に行うことができる。
【００３０】
また、傾斜部１５ｂにより、甲部１３の縦幅が短くなっているので、装着時に確実に手首をむき出しにすることができ、装着時に手首を折り返す等の動作を行った場合でも、手首側縁部１５、３３が手首Ａ上で邪魔になるようなことがなく、手首に不快感を与えることなく、装着時の快適性をさらに高めることができる。
【００３１】
また、切れ目１５ａの小指側縁部に幅広の止帯片１７が縫着され、止帯片１７の裏側面と、これと対向する甲部１３の面に、止帯片１７と甲部１３とを係止させる面ファスナー１８が縫着されているので、止帯片１７を親指側に引っ張り、止帯片１７の裏側面に縫着されたループテープ１８ａを、甲部１３に縫着されたフックテープ１８ｂに係止させることにより、袋口１４と手首Ａの付け根部分との間に隙間が生じないように確実にフィットさせることができ、装着感をより高めることができる。
【００３２】
また、甲部１３の内側面横方向に複数本のゴム紐１９ａ、１９ｂが収縮状に縫着されているので、ゴム紐１９ａ、１９ｂが、装着者の手の大きさに応じて横方向に伸張し、甲部１３部分のフィット感をさらに高めることができる。
【００３３】
また、手甲部１０の親指を除く指部１１とその拳部１２とに、親指を除く指部１１とその拳部１２とが連結された櫛歯形状に型取りされた伸縮性部材２０が用いられているので、手を握り締めたり、手を広げたりする手の動きをスムーズに行うことができるとともに、手を広げた状態でも、手を握り締めた状態でも、指部１１、３１に適度なフィット感を付与することができる。また、伸縮性部材２０の上面に、伸縮性部材２０よりも一回り小さな櫛歯形状に型取りされた補強部材２１が縫着されているので、伸縮性部材２０によるフィット感を損なうことなく、手甲部１０側の指部１１及び拳部１２の補強を行うことができ、手袋の耐久性を向上させることができる。
【００３４】
また、第１の補強用部材３４により手掌部３０側の中指から小指の第２関節付近からその指間球部分までを覆う部分が補強されると共に、第２の補強用部材３５により手掌部３０側の人差し指の第２関節付近から親指の第１関節部分までの部分が補強されるので、綱等を握り締めて引っ張るといったハードな使用に十分耐え得る耐久性を付与することができるとともに、手の平を保護する効果を高めることができる。
【００３５】
また、甲部１３と、親指の甲面側の付け根部分１１ａとが、伸縮性かつ通気性を有する部材で構成されているので、装着時における甲部１３や親指のフィット感を高めることができるとともに、発汗等によるムレを防止することができ、装着時の快適性を高めることができる。
【００３６】
また、指部１１、３１の先端部分（第１関節付近まで）が切除されているので、手袋１を装着したまま、指先を使う作業を行うことができ、作業性を高めることでき、使い勝手の良い手袋とすることができる。
【００３７】
なお、上記実施の形態に係る手袋１は、手で物を握り、かつ体を動かす状況下での使用、例えば、大阪泉州地区で有名なだんじり祭り等での使用に特に適しているが、スポーツ用として、各種作業（特に、綱やワイヤを取り扱う作業）用としても使用することができ、体を動かす選手や作業者の装着時の暑さ等の不快さを大幅に低減させることができ、装着感に優れた手袋とすることができる。
【図面の簡単な説明】
【００３８】
【図１】本考案の実施の形態に係る手袋の手甲部側を模式的に示した平面図であり、止帯片を甲部に係止させる前の状態を示している。
【図２】実施の形態に係る手袋の手甲部側を模式的に示した平面図であり、止帯片を甲部に係止させた状態を示している。
【図３】実施の形態に係る手袋の手掌部側を模式的に示した平面図である。
【符号の説明】
【００３９】
１    手袋
１０  手甲部
１１  指部
１２  拳部
１３  甲部
１４  袋口
１５  手首側縁部
１５ａ  切れ目
１５ｂ  傾斜部
１７  止帯片
１８  面ファスナー（係止部材）
３０  手掌部
３１  指部
３２  掌部
３３  手首側縁部
【図１】
0003126867.tif 000003
【図２】
0003126867.tif 000004
【図３】
0003126867.tif 000005